(57)【特許請求の範囲】
【請求項１】
振出式の釣竿であって、
穂先側端部内周面に防摩耗樹脂層を有する外部竿体と、
前記外部竿体の穂先側に前記外部竿体に収納可能なように連結されている内部竿体とを備え、
前記防摩耗樹脂層は、前記外部竿体と一体成形されたセルロース繊維強化樹脂層である
ことを特徴とする釣竿。
【発明の詳細な説明】
【０００１】
【発明の属する技術分野】
本発明は、釣竿、特に、穂先側の竿体を順次竿元側の竿体内部に収納可能な振出式の釣竿に関する。
【０００２】
【従来の技術】
従来の振出式の釣竿（以下、振出竿という）は、複数の竿体を連結してなるものであり、例えば、手元側に配置される外部竿体と、外部竿体の穂先側に連結され外部竿体の内部に挿入して収納可能な内部竿体とを有している。そして、この振出竿を使用する際には、穂先側の内部竿体を外部竿体から引き出して固定し、１本の竿体として使用される。また運搬時には、穂先側の内部竿体を外部竿体内に挿入してコンパクトな状態にする。
【０００３】
【発明が解決しようとする課題】
従来の振出竿では、穂先側の内部竿体を竿元側の外部竿体に挿入する際に、外部竿体の穂先側端面が内部竿体の外周面に接触し、内部竿体の外周面が摩耗してしまう場合がある。内部竿体の表面には、耐水性，耐久性，意匠性の向上を図って様々な塗装が施されているが、この外部竿体の穂先側端面との接触により、塗装が剥げ落ちてしまう恐れがある。
【０００４】
本発明の課題は、竿体の外周面を傷付けることなく収納できる振出式の釣竿を提供することにある。
【０００５】
【課題を解決するための手段】
発明１にかかる釣竿は、振出式の釣竿であって、穂先側端部内周面に防摩耗樹脂層を有する外部竿体と、外部竿体の穂先側に外部竿体に収納可能なように連結されている内部竿体とを備えている。
この場合には、内部竿体の外周面が接触する可能性が高い外部竿体の穂先側端部内周面に防摩耗樹脂層が形成されている。この防摩耗樹脂層は、竿体を構成する樹脂層に比べ柔らかく、他の部材と接触しても他の部材を摩耗させることがない。この結果、内部竿体を外部竿体内に出し入れする際に、外部竿体外周面が摩耗して傷つくことがない。
【０００６】
この場合には、防摩耗樹脂層が前記外部竿体と一体化されているので、防摩耗樹脂層がはがれ落ちてしまうのを防止できる。
【０００８】
ここで、前記防摩耗樹脂層は、外部竿体と一体成形されたセルロース繊維強化樹脂層である。ここで、セルロース繊維強化樹脂層とは、セルロース繊維を配合して強化した合成樹脂からなる樹脂層である。この場合には、比較的柔らかいセルロース繊維を含む樹脂から防摩耗樹脂層が形成されているので、適度な強度及び剛性を維持しつつ他の部材を摩耗させることがない。このセルロース繊維としては、レーヨン繊維等を例示できる。
【０００９】
釣竿の製造方法は、内部に他の竿体が挿入される振出式の竿体の製造方法であって、以下の工程を含む。
◎芯材に離型剤を塗布する工程と、芯材の穂先側端部に防摩耗樹脂層を形成する防摩耗プリプレグを巻回する工程。
◎竿体用プリプレグを巻回する工程。
【００１０】
◎竿体用プリプレグの外周面に保護テープを巻回して竿素材を得る工程。
◎竿素材を焼成する工程。
◎芯材を抜き取ると共に前記保護テープを剥離する工程。
この場合には、防摩耗プリプレグと竿体用プリプレグとを順次芯材に巻回して焼成するので、竿体に防摩耗樹脂層を一体化して製造でき、製造が容易になる。また、防摩耗樹脂層の耐久性も向上する。
【００１１】
釣竿の製造方法は、芯材を抜き取ると共に保護テープを剥離した後に、前記竿素材の端面を切断する工程をさらに含む。
【００１２】
【発明の実施の形態】
以下、本発明の一実施形態について、図面を参照しつつ説明する。
（全体構成）
本発明の第１実施形態を採用した釣竿は、図１に示すように、外部竿体１と、外部竿体１の穂先側に外部竿体１内に収納可能なように連結された複数の内部竿体２とを有している。外部竿体１は、竿尻側端部に設けられたグリップ３と、グリップ３よりやや穂先側の外周面に設けられリール５が装着可能なリールシート４と、リールシート４の穂先側の外周面に設けられリール５からの釣糸Ｌを竿体内部に挿入する釣糸導入孔６とを有している。内部竿体２は、複数の竿体が順次挿入して収納可能になっており、穂先側先端にはトップガイド７が設けられている。そして、リール５から導かれた釣糸Ｌは、釣糸導入孔６から外部竿体１及び内部竿体２内に導入され、トップガイド７から外部へ導かれる。
【００１３】
外部竿体１は、図２に示すように、筒状の部材であって、内部は内部竿体２を収納可能な竿収納部１０となっている。外部竿体１は、本体部１１と、穂先側端部内周面に本体部１１と一体で成型された防摩耗樹脂層１２とを有している。後に詳しく説明するように、この本体部１１は、炭素繊維の強化繊維に樹脂を含浸させたシート状のプリプレグをマンドレルに巻回して成形されるものであり、防摩耗樹脂層１２は、ポリエステル繊維に樹脂を含浸させたプリプレグから成型される。
【００１４】
内部竿体２は、図２に示すように、筒状の部材であって、内部は穂先側に連結される他の内部竿体を収納可能な竿収納部２０となっている。内部竿体２は、本体部２１と、本体部２１の竿元側端部に設けられ本体部２１より大径に形成された嵌合雄部２２と、嵌合雄部２２の竿元側端面に形成された尻栓部２３とを有している。本体部２１は、外部竿体１の本体部１１と同様に、炭素繊維の強化繊維に樹脂を含浸させたシート状のプリプレグをマンドレルに巻回して成形されるものである。嵌合雄部２２は本体部２１と一体で成形され、外部竿体１の穂先側端部の内周径に合致するようになっている。また、尻栓部２３はネジ部２３ａを有しており、このネジ部２３ａを嵌合雄部２２の竿元側端面に螺号して固定可能になっている。
【００１５】
（外部竿体１の製造方法）
本発明の一実施形態を採用した外部竿１は、以下のようにして製造される。
図３（ａ）に示すように、まず、所定のテーパが形成されたマンドレル１００の外周にワックス等の離型剤（図示せず）等を塗布し、その穂先側の外周面にポリエステル繊維に樹脂を含浸させた防摩耗プリプレグ１０１を巻回する。なお、防摩耗プリプレグ１０１としては、ポリエステル繊維の不織布に合成樹脂を含浸させたポリエステル製不織布材を用いてもよい。
【００１６】
次に、図３（ｂ）に示すように、炭素繊維の強化繊維に樹脂を含浸させたシート状のプリプレグ１０２を加圧しながら巻回する。このプリプレグ１０２は複数枚巻回され、例えば、４枚のプリプレグ１０２が順次巻回される。ここで、最も内側の第１プリプレグは、テープの長さ方向に強化繊維が配向されたものを用いて形成され、外部竿体２の円周方向に強化繊維群が配向される。また、第１プリプレグの外周に順次巻回される第２〜第４のプリプレグ層は、テープの幅方向に強化繊維が配向されたものを用いて形成され、第２〜第４強化繊維群がマンドレルの軸方向に配向された状態になる。
【００１７】
このようにして、図３（ｃ）に示すように、防摩耗プリプレグ１０１及び複数のプリプレグ１０２を巻回した後、さらにその外周にポリエステルテレフタレートやポリプロピレンからなる保護用テープ（図示せず）を巻回して竿素材を得る。得られた竿素材を外周側から圧を加えて焼成し、マンドレル１００を抜き取り保護用テープを剥離する。そして、両端部を切り落とし、さらに、表面を研磨し必要な塗材を塗布して、図４に示すように、穂先側端部内周面に防摩耗樹脂層が形成された外部竿体１を製造する。
【００１８】
このように構成された釣竿では、内部竿体２の外周面が接触する可能性が高い外部竿体１の穂先側端部内周面に防摩耗樹脂層１２が形成されている。この防摩耗樹脂層１２は、ポリエステル繊維に樹脂を含浸させた防摩耗プリプレグ１０１から形成される樹脂層であり、他の炭素繊維強化樹脂層に比べ柔らかい。この結果、内部竿体２を外部竿体１内に出し入れする際に内部竿体１の外周面が接触しても、防摩耗樹脂層１２は内部竿体１を摩耗させることがない。特に、比較的柔らかいポリエステル繊維を含むプリプレグから形成されている防摩耗樹脂層１２は、適度な強度及び剛性を維持しつつ他の部材を摩耗させることがない。
【００１９】
また、防摩耗樹脂層１２は、竿体の他の部分を構成するプリプレグ１０２に防摩耗プリプレグ１０１を一体化させて形成されているので、容易に製造でき、耐久性も高い。
［他の実施形態］
（ａ）防摩耗樹脂層はセルロース繊維強化樹脂層を用いて形成してもよい。
ここで、セルロース繊維強化樹脂層とは、セルロース繊維を配合して強化した合成樹脂からなる樹脂層であり、例えば、レーヨン繊維等を例示できる。
（ｂ）本発明は、中通し竿のほか外通し竿にも適応できる。
（ｃ）他の内部竿体を内部に収納可能な内部竿体にも、防摩耗樹脂層を形成できる。
【００２０】
【発明の効果】
本発明に係る釣竿では、外部竿体の穂先側先端に防摩耗性樹脂層が設けられているので、内部竿体の外周面を傷付けることなく収納することができる。
【図面の簡単な説明】
【図１】本発明の一実施形態を採用した釣竿の全体図。
【図２】図１の外部竿体及び内部竿体の連結部分付近の拡大断面図。
【図３】本発明の一実施形態を採用した釣竿の外部竿体の製造工程を示す図。
【図４】本発明の一実施形態を採用した釣竿の外部竿体の穂先側先端の拡大断面図。
【符号の説明】
１  外部竿体
２  内部竿体
１１，２１  本体部
１２  防摩耗樹脂層
１００  マンドレル
１０１  防摩耗プリプレグ
１０２  プリプレグ
【図１】
0004028926.tif 000002
【図２】
0004028926.tif 000003
【図３】
0004028926.tif 000004
【図４】
0004028926.tif 000005